(57)【要約】【課題】実際にシャツを仕立てる前に、顧客のサイズに合わせたシャツのイメージを知らせることができ、デザイン・生地の決定をミスリードすることがないオーダーメイドシャツイメージ生成システムを提供すること。【解決手段】生地の色柄を撮像する撮像手段２と、オーダーメイドシャツを着用する対象者の採寸データを記憶する採寸データ記憶装置３と、撮像手段２により撮影された生地に、採寸データ記憶装置３に記憶された対象者の採寸データを用いて、オーダーメイドシャツを作成するための型取りを行う型取り手段４と、型取り手段４により型取りされた型に基づいて、オーダーメイドシャツの３次元立体形状を作成する３次元立体形状作成手段５と、オーダーメイドシャツの３次元立体形状を表示する表示装置６とを備える。【選択図】図１
2020033674.tif 000002
【特許請求の範囲】
【請求項１】
オーダーメイドシャツイメージ生成システムであって、
生地の色柄を撮像する撮像手段と、
オーダーメイドシャツを着用する対象者の採寸データを記憶する採寸データ記憶装置と、
前記撮像手段により撮影された生地に、前記採寸データ記憶装置に記憶された前記対象者の採寸データを用いて、前記オーダーメイドシャツを作成するための型取りを行う型取り手段と、
前記型取り手段により型取りされた型に基づいて、前記オーダーメイドシャツの３次元立体形状を作成する３次元立体形状作成手段と、
前記オーダーメイドシャツの３次元立体形状を表示する表示手段と、
を備えたことを特徴とするオーダーメイドシャツイメージ生成システム。
【請求項２】
前記採寸データは、複数種類の標準的な体型の対象者を採寸した採寸データであることを特徴とする請求項１に記載のオーダーメイドシャツイメージ生成システム。
【請求項３】
前記表示手段に表示される前記オーダーメイドシャツの３次元立体形状は、陰影および皺を伴って表示されることを特徴とする請求項１又は２に記載のオーダーメイドシャツイメージ生成システム。
【発明の詳細な説明】
【技術分野】
【０００１】
本発明は、オーダーメイドシャツイメージ生成システムに関する。
【背景技術】
【０００２】
シャツには、既製シャツとオーダーメイドシャツがある。
既製シャツは、予め複数種類のサイズ毎に大量生産されているので、直ちに購入することができて安価であり、すでに製品として完成しているため、似合うかどうかの判断もしやすい。
しかし、好みのデザイン・生地のシャツがなかったり、身体にフィットしないため、十分に満足できないことも多い。
【０００３】
一方、オーダーメイドシャツは、顧客の身体の寸法を計測し、これに基づいて型紙を製作し、顧客の好みに合うデザイン・生地で仕立てる。
したがって、デザインやサイズ的に満足できるシャツを得やすいが、デザインや生地を選ぶ段階では完成品のイメージがわき難く、似合うかどうかも判断しにくい。
オーダーメイドシャツは、仕立てるのに手間と時間がかかり、価格が高いので、完成した後でイメージと違っている場合は、時間的にも金銭的にも無駄が大きい。
【０００４】
そこで、実際に仕立てる前に、データベースと接続された選択装置により、顧客の好みのデザイン、生地を選択し、選択されたデザイン画像に対し、生地画像を用いて色柄設定を施し、コンピュータグラフィックスによりできあがりイメージを画像表示する衣服・服飾品の製造方法が提案されている（特許文献１参照）。
しかしながら、この方法は、画像表示されたイメージを見てデザイン・生地を決定してから、顧客のサイズに合った型紙を作成し、この型紙に基づいて衣服を製造するので、画像表示されるできあがりイメージと、顧客のサイズに合わせた完成品のイメージとが乖離する恐れがある。
【先行技術文献】
【特許文献】
【０００５】
【特許文献１】特開平１１-１８１４号公報
【発明の概要】
【発明が解決しようとする課題】
【０００６】
本発明が解決しようとする課題は、実際にシャツを仕立てる前に、顧客のサイズに合わせたシャツのイメージを知らせることができ、デザイン・生地の決定をミスリードすることがないオーダーメイドシャツイメージ生成システムを提供することにある。
【課題を解決するための手段】
【０００７】
本願請求項１に係る発明は、オーダーメイドシャツイメージ生成システムであって、生地の色柄を撮像する撮像手段と、オーダーメイドシャツを着用する対象者の採寸データを記憶する採寸データ記憶装置と、前記撮像手段により撮影された生地に、前記採寸データ記憶装置に記憶された前記対象者の採寸データを用いて、前記オーダーメイドシャツを作成するための型取りを行う型取り手段と、前記型取り手段により型取りされた型に基づいて、前記オーダーメイドシャツの３次元立体形状を作成する３次元立体形状作成手段と、前記オーダーメイドシャツの３次元立体形状を表示する表示手段とを備えることを特徴とするオーダーメイドシャツイメージ生成システムである。
【０００８】
本願請求項２に係る発明は、前記採寸データが、複数種類の標準的な体型の対象者を採寸した採寸データであることを特徴とする請求項１に記載のオーダーメイドシャツイメージ生成システムである。
【０００９】
本願請求項３に係る発明は、前記表示手段に表示される前記オーダーメイドシャツの３次元立体形状は、陰影および皺を伴って表示されることを特徴とする請求項１又は２に記載のオーダーメイドシャツイメージ生成システムである。
【発明の効果】
【００１０】
請求項１に係る発明によれば、実際にオーダーメイドシャツを仕立てる前に、完成した状態を画像として見ることができるので、完成後のオーダーメイドシャツが気に入らずに、仕立てに要する手間と金銭が無駄になるのを防ぐことができる。
また、表示される３次元立体形状は、着用する対象者の体型に合ったオーダーメイドシャツの画像なので、似合うかどうかを判断しやすい。
請求項２に係る発明によれば、着用する対象者の身体を細かい部分まで多数採寸する必要がなく、採寸箇所が少なくて済む。
請求項３に係る発明によれば、表示される３次元立体形状の現実感が増し、完成したオーダーメイドシャツをイメージしやすい。
【図面の簡単な説明】
【００１１】
【図１】本発明の実施形態を示すオーダーメイドシャツイメージ生成システムの概略図である。
【図２】本発明の実施形態に係る型取り手段の型取り手順を示す流れ図である。
【図３】本発明の実施形態に係る３次元立体形状の一例を示す図である。
【図４】本発明の実施形態に係る３次元立体形状の他例を示す図である。
【図５】本発明の実施形態に係るオーダーメイドシャツのイメージ生成手順の流れ図である。
【発明を実施するための形態】
【００１２】
以下、本発明の実施形態を図面に基づいて詳細に説明する。
図１に示すように、本発明のオーダーメイドシャツイメージ生成システム１は、コンピュータで制御され、撮像手段２と、採寸データ記憶装置３と、型取り手段４と、３次元立体形状作成手段５と、表示装置６、入力装置７、色柄記憶装置８、型紙データベース９とを備える。
オーダーメイドシャツの注文を受ける店舗等には、多数の生地サンプルが用意されており、オーダーメイドシャツを着用する対象者（顧客）は、その中から好みの生地を選択することができる。
また、顧客は用意されたカタログ等でシャツの形状デザインを選択し、選択した形状デザインの番号をキーボード等の入力装置７によって型取り手段４に入力することができる。
【００１３】
撮像手段２は、カメラ或いはスキャナであり、顧客が選択した生地の色柄を撮像する。撮像手段２が撮像した生地の色柄は、画像データとして色柄記憶装置８に保存される。色柄記憶装置８は、撮像手段２が撮像した画像データが保存されるが、撮像した画像データだけでなく、予め複数の画像データを保存しておいて、それを顧客が選択するようにしても良い。
採寸データ記憶装置３は、コンピュータに内蔵され、顧客の採寸データを記憶する。採寸データは、顧客の身体の必要箇所を巻尺で計測した寸法を入力装置７で入力してもよいし、顧客の身体をスキャンして得られたデータでもよい。
或いは、複数種類の標準的な体型の対象者を採寸した採寸データを採寸データ記憶装置３に記憶しておき、その中から顧客の体型にもっとも近いものを選択することもできる。このようにすると、対象者の身体に完全にフィットさせるのは難しくなるが、採寸箇所が少なくて済む。
【００１４】
型取り手段４には、採寸データ記憶装置３と、色柄記憶装置８と、複数種類のデザインに対応する型紙の形状を記憶した型紙データベース９と、３次元立体形状作成手段５が接続される。
型取り手段４は、図２に示すように、選択されたデザインに対応する型紙を型紙データベース９から選んで読み込み（Ｓ１）、採寸データ記憶装置３から顧客の採寸データを読み込み（Ｓ２）、選んだ型紙の寸法を、読み込んだ顧客の採寸データに合わせて修正し（Ｓ３）、さらにその型紙上に色柄記憶装置８に記憶された色柄を貼り付けて（Ｓ４）、撮像手段２により撮影された生地に、顧客の採寸データを用いて、オーダーメイドシャツを作成するための型取りを行い、型取りした型のデータを３次元立体形状作成手段５に送る（Ｓ５）。
なお、採寸データ記憶装置３に複数種類の標準的な体型の対象者を採寸した採寸データを記憶してある場合は、型紙データベース９にもその採寸データに対応した複数種類の寸法の型紙を記憶しておき、型取り手段４は顧客の体型に近い型紙を選択して型取りを行っても良い。
【００１５】
３次元立体形状作成手段５は、型取り手段４から送られた平面的な型のデータを、パーツごとに設定されている条件に応じて変換演算して曲面のデータとし、これら各パーツの曲面を所定位置に並べて連続させた状態の画像データ、すなわち、型取り手段４により型取りされた型を用いて仕立てたオーダーメイドシャツをある視点から見た時の３次元立体形状の画像データを作成する。
３次元立体形状は、オーダーメイドシャツを正面、背面等の様々な視点から見た画像を用意するのが望ましい。
また、人体データベースに複数種類の人体画像のデータを記憶しておき、顧客の体型に最も近い人体画像のデータを選択し、選択した人体画像の表面に型に基づいて作成した曲面を貼り付けて、人体にオーダーメイドシャツを着用させた状態の３次元立体形状の画像データを作成することもできる。
なお、オーダーメイドシャツの画像の脇部分や影になる部分に陰影をつけ、実際に着用したときに曲がる部分に皺を形成した画像データを作成すると、３次元立体形状の現実感が増す。これは、あらかじめ撮像しておいたシャツの陰影や皺を、作成したオーダーメイドシャツの画像に重ねることで実現できる。
３次元立体形状作成手段５で作成した３次元立体形状の画像データは表示装置６へ送られる。
【００１６】
表示装置６は、一般的にコンピュータに接続されるディスプレイ装置であり、３次元立体形状作成手段５で作成したオーダーメイドシャツの３次元立体形状を表示する。
表示装置６が表示する３次元立体形状は、図３に示すように、陰影や皺を伴って表示した広げた状態のオーダーメイドシャツの画像Ａか、或いは、図４に示すように、顧客と同じような体型の人体の画像Ｂに着用させた状態で、陰影や皺を伴って表示したオーダーメイドシャツの画像Ａである。
【００１７】
オーダーメイドシャツイメージ生成システム１は、次のようにオーダーメイドシャツのイメージを生成する。
図５に示すように、まず、顧客はオーダーメイドシャツの形状デザインと使用する生地を選択する（Ｓ１１）。
ついで、撮像手段２が選択された生地を撮像し（Ｓ１２）、撮像した画像のデータを色柄記憶装置８に保存する（Ｓ１３）。
また、顧客の採寸を行い（Ｓ１４）、採寸データを採寸データ記憶装置３に保存する（Ｓ１５）。
次に、型取り手段４が選択された形状デザインに対応する型紙を用い、採寸データ記憶装置３から読み込んだ顧客の採寸データ、および、色柄記憶装置８から読み込んだ生地の画像データに基づいて型取りを行う（Ｓ１６）。
さらに、３次元立体形状作成手段５が、型取り手段４が型取りした型に基づいてオーダーメイドシャツの３次元立体形状を作成し（Ｓ１７）、その後、３次元立体形状作成手段５が作成した３次元立体形状を表示装置６が表示する（Ｓ１８）。
顧客は表示装置６に表示された３次元立体形状を見て気に入らなければＳ１１に戻り、デザインと生地の選択からやり直す。
顧客が満足した場合は、イメージ生成を終了し、型取りした型に基づき、選択した形状デザイン、生地を用いて実際にオーダーメイドシャツを仕立てることになる。
【符号の説明】
【００１８】
１    オーダーメイドシャツイメージ生成システム
２    撮像手段
３    採寸データ記憶装置
４    型取り手段
５    ３次元立体形状作成手段
６    表示装置
７    入力装置
８    色柄記憶装置
９    型紙データベース
【図１】
2020033674.tif 000003
【図２】
2020033674.tif 000004
【図３】
2020033674.tif 000005
【図４】
2020033674.tif 000006
【図５】
2020033674.tif 000007